【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
平行通路コンタクター（２）であって、
複数の吸着剤構造（１）であって、前記吸着剤構造（１）は、
第１の吸着剤材料を含む第１の吸着剤層（１２）と、
第２の吸着剤材料を含む第２の吸着剤層（１４）と、
前記第１の吸着剤層（１２）と前記第２の吸着剤層（１４）との間に挿入される障壁層（１０）とを備える、複数の吸着剤構造（１）と、
第１の流体通路（１６）であって、前記第１の流体通路（１６）の少なくとも一部分は前記第１の吸着剤層（１２）によって定義される、第１の流体通路（１６）と、
第２の流体通路（１８）であって、前記第２の流体通路（１８）の少なくとも一部分は前記第２の吸着剤層（１４）によって定義される、第２の流体通路（１８）とを備え、
前記第１の吸着剤材料及び前記第２の吸着剤材料は、吸着剤材料組成及び物理特性を更に備え、前記第１の吸着剤材料の前記吸着剤材料組成及び前記物理特性のうちの少なくとも一方は、前記第２の吸着剤材料の前記吸着剤材料組成及び前記物理特性のうちの少なくとも一方と異なり、
前記第１の流体通路（１６）及び前記第２の流体通路（１８）は、前記平行通路コンタクター（２）内で流体的に分離され、
前記第１の流体通路（１６）は、第３のポートに流体接続される、平行通路コンタクター（２）。
【請求項２】
前記障壁層（１０）は、１０００μｍ、１００μｍ、及び１０μｍのうちの少なくとも１つの値以下の厚さを有する、請求項１に記載の平行通路コンタクター（２）。
【請求項３】
前記障壁層（１０）は、前記第１の吸着剤層（１２）の透過率値以下、前記第２の吸着剤層（１４）の透過率値以下のうちの少なくとも一方の透過率、または１０−６ｍ２以下、または詳細には１０−８ｍ２以下、またはより詳細には１０−１２ｍ２以下、または更により詳細には１０−１３ｍ２以下の透過率を有する、請求項１または２に記載の平行通路コンタクター（２）。
【請求項４】
前記第１の吸着剤材料は、疎水性吸着剤材料、活性炭吸着剤材料、ポリエチレンイミンでドープされたシリカ吸着剤材料、疎水性ゼオライト吸着剤材料のうちの少なくとも１つを含み、前記第２の吸着剤材料は、親水性吸着剤材料、ゼオライト吸着剤材料、及び金属有機構造体吸着剤材料のうちの少なくとも１つを含む、請求項１のいずれか１項に記載の平行通路コンタクター（２）。
【請求項５】
前記第１の吸着剤層（１２）及び前記第２の吸着剤層（１４）のうちの少なくとも一方は熱伝導性材料を含む、請求項１に記載の平行通路コンタクター（２）。
【請求項６】
複数の前記第１の流体通路（１６）及び複数の前記第２の流体通路（１８）を更に備え、前記第３のポートは、前記第１の流体通路（１６）に流体接続される、請求項１に記載の平行通路コンタクター（２）。
【請求項７】
前記第１の流体通路（１６）及び前記第２の流体通路（１８）に流体接続された、第１のポート、前記第１の流体通路（１６）及び前記第２の流体通路（１８）に流体接続された、第２のポート、及び、前記第１の流体通路（１６）に流体接続された、第４のポートを更に備える、請求項１に記載の平行通路コンタクター（２）。
【請求項８】
複数の前記第１の流体通路（１６）及び複数の前記第２の流体通路（１８）を更に備え、前記第１のポートは、複数の前記第１の流体通路（１６）及び複数の前記第２の流体通路（１８）に流体接続され、前記第２のポートは、複数の前記第１の流体通路（１６）及び複数の前記第２の流体通路（１８）に流体接続され、前記第３のポートは、複数の前記第１の流体通路（１６）に流体接続され、前記第４のポートは、複数の前記第１の流体通路（１６）に流体接続される、請求項７に記載の平行通路コンタクター（２）。
【請求項９】
前記第１の流体通路（１６）に流体接続された、第４のポート、前記第２の流体通路（１８）に流体接続された、第５のポート、及び、前記第２の流体通路（１８）に流体接続された、第６のポートを更に備える、請求項１に記載の平行通路コンタクター（２）。
【請求項１０】
複数の前記第１の流体通路（１６）及び複数の前記第２の流体通路（１８）を更に備え、前記第３のポートは、複数の前記第１の流体通路（１６）に流体接続され、前記第４のポートは、複数の前記第１の流体通路（１６）に流体接続され、前記第５のポートは、複数の前記第２の流体通路（１８）に流体接続され、前記第６のポートは、複数の前記第２の流体通路（１８）に流体接続される、請求項９に記載の平行通路コンタクター（２）。
【請求項１１】
多成分流体ストリーム（２０）から少なくとも第１の成分を分離するための吸着ガス分離プロセスであって、
（ｉ）前記多成分流体ストリーム（２０）を、平行通路コンタクター（２）内に受入れるステップであって、前記平行通路コンタクター（２）は、
第１の吸着剤材料を含む第１の吸着剤層（１２）と、
第２の吸着剤材料を含む第２の吸着剤層（１４）と、
前記第１の吸着剤層（１２）と前記第２の吸着剤層（１４）との間に挿入される障壁層（１０）と、
第１の流体通路（１６）であって、前記第１の流体通路（１６）の少なくとも一部分は前記第１の吸着剤層（１２）によって定義される、第１の流体通路（１６）と、
第２の流体通路（１８）であって、前記第２の流体通路（１８）の少なくとも一部分は前記第２の吸着剤層（１４）によって定義される、第２の流体通路（１８）とを備え、
前記第１の吸着剤材料及び前記第２の吸着剤材料は、吸着剤材料組成及び物理特性を更に備え、前記第１の吸着剤材料の前記吸着剤材料組成及び前記物理特性のうちの少なくとも一方は、前記第２の吸着剤材料の前記吸着剤材料組成及び前記物理特性のうちの少なくとも一方と異なり、
前記第１の流体通路（１６）及び前記第２の流体通路（１８）は、前記平行通路コンタクター（２）内で流体的に分離され、
前記第１の流体通路（１６）は、第３のポートに流体接続される、受入れるステップと、
（ｉｉ）前記多成分流体ストリーム（２０）を、前記平行通路コンタクター（２）の前記第２の流体通路（１８）内に受入れるステップと、
（ｉｉｉ）前記第２の流体通路（１８）の少なくとも前記部分を画定する前記第２の吸着剤層（１４）の前記第２の吸着剤材料上に前記多成分流体ストリーム（２０）の前記第１の成分の少なくとも一部分を吸着させるステップと、
（ｉｖ）前記平行通路コンタクター（２）の前記第２の流体通路（１８）から、前記多成分流体ストリーム（２０）と比べて前記第１の成分が少なくとも周期的に枯渇した第１の生成物ストリーム（２２）を回収するステップと、
（ｖ）脱着流体ストリーム（２４）を前記平行通路コンタクター（２）の前記第２の流体通路（１８）及び／または前記第１の流体通路（１６）内に受入れるステップと、
（ｖｉ）前記第２の吸着剤層（１４）の前記第２の吸着剤材料上に吸着された、前記第１の成分の少なくとも一部分を脱着させるステップと、
（ｖｉｉ）前記平行通路コンタクター（２）の前記第２の流体通路（１８）から、前記多成分流体ストリーム（２０）と比べて前記第１の成分が少なくとも周期的に富化した第２の生成物ストリーム（２６ａ）を回収するステップと、を含む、吸着ガス分離プロセス。
【請求項１２】
ステップ（ｖｉ）にて、前記第２の吸着剤層（１４）の前記第２の吸着剤材料上に吸着された、前記第１の成分の少なくとも一部分を脱着させるステップは、前記脱着流体ストリーム（２４）及び前記第１の吸着剤層（１２）から前記第２の吸着剤層（１４）の前記第２の吸着剤材料に熱を伝達するステップ、及び、前記第１の吸着剤層（１２）の前記第１の吸着剤材料上への前記脱着流体ストリーム（２４）の少なくとも一部分の吸着を通して吸着熱を放出するステップのうちの少なくとも１つによって、前記第２の吸着剤材料を加熱するステップによる、請求項１１に記載の吸着ガス分離プロセス。
【請求項１３】
ステップ（ｉｉｉ）にて、前記第１の流体通路（１６）の少なくとも前記部分を画定する前記第１の吸着剤層（１２）の前記第１の吸着剤材料上に前記多成分流体ストリーム（２０）の前記第１の成分の少なくとも一部分を吸着させるステップと、
ステップ（ｉｖ）にて、前記第１の流体通路（１６）から、前記多成分流体ストリーム（２０）と比べて前記第１の成分が少なくとも周期的に枯渇した前記第１の生成物ストリーム（２２）を回収するステップと、
ステップ（ｖｉ）にて、前記脱着流体ストリーム（２４）による前記第１の吸着剤材料の加熱によって前記第１の吸着剤層（１２）の前記第１の吸着剤材料上に吸着された前記第１の成分の少なくとも一部分を脱着させるステップと、
ステップ（ｖｉｉ）にて、前記平行通路コンタクター（２）の前記第１の流体通路（１６）から、前記多成分流体ストリーム（２０）と比べて前記第１の成分が少なくとも周期的に富化した第２の生成物ストリームを回収するステップと、を更に含む、請求項１１または１２に記載の吸着ガス分離プロセス。
【請求項１４】
前記第１の吸着剤材料及び前記第２の吸着剤材料の少なくとも１つは、疎水性吸着剤材料を含む、請求項１１〜１３のいずれか一項に記載の吸着ガス分離プロセス。
【請求項１５】
前記脱着流体ストリーム（２４）は、蒸気ストリーム、空気ストリーム、不活性ガスストリーム、及び燃焼煙道ガスストリームのうちの少なくとも１つを含む、請求項１１〜１３のいずれか一項に記載の吸着ガス分離プロセス。
【請求項１６】
前記脱着流体ストリーム（２４）は、６０℃以上、８０℃以上、及び１００℃以上のうちの少なくとも１つの温度である、請求項１５に記載の吸着ガス分離プロセス。